(57)【要約】      （修正有）【課題】操作の利便性を向上し騒音を低減する目的を達成することができるファイル固定構造を提供する。【解決手段】ファイル固定構造は、ベース１と、引張ロッド２と、第１のフック３と、第２のフック４と、蓋板５と、を備える。ベースは固定部を有する。引張ロッドは、引張ロッド底部に設けられたスライド溝と、引張ロッド両側にそれぞれ対応して設けられた少なくとも２つのガイド溝とを含み、固定部がスライド溝内に収容される。第１のフックには、引張ロッドの一側のガイド溝内に対応して挿接される少なくとも１つの第１の挿入部が設けられる。第２のフックには、引張ロッドの他側のガイド溝内に対応して挿接される少なくとも１つの第２の挿入部が設けられる。蓋板は、ベースの表面と互いに接続される。【選択図】図１Ａ
0003185795.tif 000002
【実用新案登録請求の範囲】
【請求項１】
固定部を有するベースと、
底部に設けられたスライド溝と、両側にそれぞれ対応して設けられた少なくとも２つのガイド溝と、を含み、前記固定部が前記スライド溝内に収容される引張ロッドと、
前記引張ロッドの一側の前記ガイド溝内に対応して挿接された少なくとも１つの第１の挿入部が設けられた第１のフックと、
前記引張ロッドの他側の前記ガイド溝内に対応して挿接された少なくとも１つの第２の挿入部が設けられた第２のフックと、
前記ベースと互いに接続された蓋板と、
を備えることを特徴とするファイル固定構造。
【請求項２】
各前記ガイド溝は、第１のガイド端及び第２のガイド端を有し、前記第１のガイド端の高さが前記第２のガイド端よりも高いことを特徴とする請求項１に記載のファイル固定構造。
【請求項３】
前記第２のガイド端が前記第１の挿入部と互いに接触すると、前記第１のフックが前記第２のフックと互いに接合することを特徴とする請求項２に記載のファイル固定構造。
【請求項４】
前記第１のガイド端が前記第１の挿入部と互いに接触すると、前記第１のフック及び前記第２のフックが互いに対応して分離することを特徴とする請求項２に記載のファイル固定構造。
【請求項５】
前記スライド溝は、第１のスライド溝端、前記第１のスライド溝端に対向する第２のスライド溝端、及び少なくとも１つの位置決め部を有し、前記少なくとも１つの位置決め部は、前記第１のスライド溝端に近接することを特徴とする請求項１に記載のファイル固定構造。
【請求項６】
前記第１のスライド溝端が前記固定部と互いに接触すると、前記第１のフック及び前記第２のフックが互いに対応して分離することを特徴とする請求項５に記載のファイル固定構造。
【請求項７】
前記第２のスライド溝端が前記固定部と互いに接触すると、前記第１のフック及び第２のフックが互いに接合することを特徴とする請求項５に記載のファイル固定構造。
【考案の詳細な説明】
【技術分野】
【０００１】
本考案は、ファイル固定構造に関し、特にガイド溝両側が異なる高さを有することによって、第１のフックと第２のフックとが互いに対応して分離するファイル固定構造に関する。
【背景技術】
【０００２】
従来のファイルにおいては、通常、複数のフックロッドが設けられ、フックロッドはそれぞれ噛合い部に接続され、使用時には噛合い部が文書資料上の孔を貫通することによって、文書資料が重ね合わされて一まとめにされる。ユーザが文書資料を取り出す際は、手で力任せに押圧レバーを押圧して噛合い部を開かせることによって、初めて文書を取り出す目的を達成することができる。しかしながら、噛合い部は、対応する複数のフックロッドと噛み合わされると、強く固定されるため、噛合い部を押圧して複数のフックロッドを開かせるのに大きな力を必要とする。従って、力の弱いユーザにとっては面倒が生じる。
【０００３】
また、ユーザが従来のファイルを操作する際は、文書資料を重ね合わせて一まとめにした後、手の力で噛合い部を押圧して、複数のフックロッドを互いに噛合わせる必要がある。しかしながら、噛合い部自体が強く固定されるため、噛合わされた時や開かれた時に騒音を生じやすい。従って、ユーザが静かな空間で従来のファイルを使用すると、ユーザの周囲に対し騒音による干渉をもたらしやすい。従って、従来のファイルでは、操作の利便性を向上し騒音を低減する目的を達成することができない問題があった。
【考案の概要】
【考案が解決しようとする課題】
【０００４】
そこで、上述した従来のファイルの欠点に鑑みて、関連する産業の開発実務において長年経験を蓄積するとともに鋭意研究を行った結果、上述した課題を合理的且つ効果的に改善する構造として本考案の完成を見るに至った。
【０００５】
本考案は、各ガイド溝の第１のガイド端の高さを第２のガイド端よりも高くすることによって第１のフックと第２のフックとが互いに対応して分離するようにしたことで、操作の利便性を向上し騒音を低減する目的を達成することができるファイル固定構造を提供することを主な課題とする。
【課題を解決するための手段】
【０００６】
本考案に係るファイル固定構造は、ベースと、引張ロッドと、第１のフックと、第２のフックと、蓋板と、を備える。ベースは固定部を有する。引張ロッドは、引張ロッド底部に設けられたスライド溝と、引張ロッド両側にそれぞれ対応して設けられた少なくとも２つのガイド溝とを含み、固定部がスライド溝内に収容される。第１のフックには、引張ロッドの一側のガイド溝内に対応して挿接される少なくとも１つの第１の挿入部が設けられる。第２のフックには、引張ロッドの他側のガイド溝内に対応して挿接される少なくとも１つの第２の挿入部が設けられる。蓋板は、ベースの表面と互いに接続される。
【０００７】
好ましくは、各ガイド溝は、第１のガイド端及び第２のガイド端を有し、第１のガイド端の高さが第２のガイド端よりも高い。
【０００８】
好ましくは、第２のガイド端が第１の挿入部と互いに接触すると、第１のフックが第２のフックと互いに接合する。
【０００９】
好ましくは、第１のガイド端が第１の挿入部と互いに接触すると、第１のフック及び第２のフックが互いに対応して分離する。
【００１０】
好ましくは、スライド溝は、第１のスライド溝端、第１のスライド溝端に対向する第２のスライド溝端、及び少なくとも１つの位置決め部を有し、当該少なくとも１つの位置決め部は、第１のスライド溝端に近接する。
【００１１】
好ましくは、第１のスライド溝端が固定部と互いに接触すると、第１のフック及び第２のフックが互いに対応して分離する。
【００１２】
好ましくは、第２のスライド溝端が固定部と互いに接触すると、第１のフック及び第２のフックが互いに接合する。
【００１３】
好ましくは、第２のスライド溝端が固定部に位置すると、引張ロッドの一部がベースから突出する。
【００１４】
好ましくは、第１のフックには、ベースの両側に向かって延在される複数の第１の弧状構造が設けられ、当該複数の第１の弧状構造は互いに所定距離だけ分離している。
【００１５】
蓋板の側辺には、第１の弧状構造にそれぞれ対向する複数の第１の凹形列孔が設けられている。
【考案の効果】
【００１６】
本考案に係るファイル固定構造の効果は、「引張ロッドの両側にそれぞれ対応して設けられた少なくとも２つのガイド溝」と「各ガイド溝の第１のガイド端の高さを第２のガイド端よりも高くする」という設計によって、第１のフックと第２のフックとが互いに対応して分離するようにしており、これにより、操作の利便性を向上し騒音を低減する目的を達成することができることにある。
【図面の簡単な説明】
【００１７】
【図１Ａ】本考案の組立図である。
【図１Ｂ】本考案の他の視点から見た組立図である。
【図２Ａ】本考案の分解図である。
【図２Ｂ】本考案の他の視点から見た分解図である。
【図３】本考案の第１のフック及び第２のフックが互いに分離した状態を示す図である。
【図４Ａ】本考案の第１のフック及び第２のフックが互いに接合した状態を示す局部拡大図である。
【図４Ｂ】本考案の第１のフック及び第２のフックが互いに接合した状態を示す側面図である。
【図５Ａ】本考案の第１のフック及び第２のフックが互いに分離した状態を示す局部拡大図である。
【図５Ｂ】本考案の第１のフック及び第２のフックが互いに分離した状態を示す側面図である。
【考案を実施するための形態】
【００１８】
本考案の特徴及び技術内容を更に理解することができるように、以下、本考案について図面を参照しながら詳細に説明する。但し、これら図面は本考案を説明する際の参考として用いるものに過ぎず、本考案を制限するものではない。
【００１９】
図１Ａは本考案の組立図である。図１Ｂは本考案の他の視点から見た組立図である。図２Ａは本考案の分解図である。図２Ｂは本考案の他の視点から見た分解図である。図３は本考案の第１のフック及び第２のフックが互いに分離した状態を示す図である。図４Ａは本考案の第１のフック及び第２のフックが互いに接合した状態を示す局部拡大図である。図４Ｂは本考案の第１のフック及び第２のフックが互いに接合した状態を示す側面図である。図５Ａは本考案の第１のフック及び第２のフックが互いに分離した状態を示す局部拡大図である。図５Ｂは本考案の第１のフック及び第２のフックが互いに分離した状態を示す側面図である。図１〜図５Ｂに示すように、本考案に係るファイル固定構造Ｍは、ベース１、引張ロッド２、第１のフック３、第２のフック４、及び蓋板５、を備える。
【００２０】
まず、図１Ａ乃至図２Ｂに示すように、ベース１は凹形溝体を呈している。凹形溝体は、ベース底面１０１、一対のベース端面１０２及び一対のベース側面１０３を有するものとして規定される。このうち、ベース底面１０１はほぼ矩形を呈し、ベース端面１０２とベース側面１０３はそれぞれ対向してベース底面１０１の周縁を囲繞しており、且つ上に向かって所定距離だけ延在される。更に、ベース１上には収容空間１２を有している。
【００２１】
ベース底面１０１上には固定部１４を有している。説明すべきことは、本実施例においては（図１Ａ乃至図２Ｂに示す）、固定部１４は柱状固定部であることである。但し、本考案に係る固定部１４の形式はそれに限定されない。各ベース側面１０３上には、対応する複数の第１の凹形列孔１６が設けられている。その主な目的は、第１のフック３上の複数の第１の弧状構造３２及び第２のフック４上の複数の第２の弧状構造４２を収容することにある。
【００２２】
次いで、図１Ａ乃至図２Ｂに示すように、引張ロッド２は、引張ロッド底面２０、引張ロッド底面２０を垂直で等分する等分面２２及び力受け部２４を含む。このうち、引張ロッド底面２０には、スライド溝２００が設けられている。等分面２２の両側上には少なくとも２つのガイド溝２２０がそれぞれ対応して設けられている。力受け部２４は、引張ロッド２の一端上に設けられ、且つ引張ロッド底面２０及び等分面２２と互いに接続されている。
【００２３】
具体的に言えば、引張ロッド２は、収容空間１２内に設けられる。その主な目的は、ユーザが引張ロッド２に外力を加え、外力によって引張ロッド２を引っ張ることで、引張ロッド２の一部分を収容空間１２内で往復移動させることができるようにすることにある。
【００２４】
また、図１Ａ乃至図３に示すように、スライド溝２００は、第１のスライド溝端２０２、第２のスライド溝端２０４、一対のスライド溝側面２０６及び少なくとも１つの位置決め部２０８を有する。このうち、第１のスライド溝端２０２はスライド溝２００の一端に設けられ、第２のスライド溝端２０４はスライド溝２００における第１のスライド溝端２０２に対向する他端に設けられる。そして、第１のスライド溝端２０２、第２のスライド溝端２０４及びスライド溝側面２０６が互いに対向して接続され、閉じた環状を形成している。また、位置決め部２０８は、第１のスライド溝端２０２に近接する内表面上に設けられる。
【００２５】
具体的に言えば、スライド溝２００は引張ロッド底面２０上に設けられ、且つ固定部１４はスライド溝２００内に収容される。上述した設計により、固定部１４は第１のスライド溝端２０２及び第２のスライド溝端２０４との間を往復移動することができ、これにより、引張ロッド２は伸縮するように往復動作することが可能となる。本実施例において、位置決め部２０８は、第１のスライド溝端２０２の内表面上に設けられる。更に言えば、位置決め部２０８は、第１のスライド溝端２０２との間に所定距離を有し、当該所定距離は、固定部１４の幅とほぼ同じである。その主な目的は、第１のスライド溝端２０２が固定部１４上に位置すると、位置決め部２０８が固定部１４の縁部に当接することにより、固定部１４が第１のスライド溝端２０２にしっかりと固定接続されることにある。但し、本考案に係る位置決め部２０８は、第１のスライド溝端２０２及び第２のスライド溝端２０４上に設けられてもよく、又は、第１のスライド溝端２０２及び第２のスライド溝端２０４のうちの一端上に設けられてもよい。
【００２６】
また、図１Ａ乃至図２Ｂに示すように、各ガイド溝２２０は、第１のガイド端２２２、第２のガイド端２２４及び一対のガイド側面２２６を有する。このうち、第１のガイド端２２２はガイド溝２２０の一端に設けられ、第２のガイド端２２４はガイド溝２２０における第１のガイド端２２２に対向する他端に設けられる。そして、第１のガイド端２２２と第２のガイド端２２４とがガイド側面２２６を介して互いに対向して接続され、閉じた溝状を形成している。
【００２７】
説明すべきことは、ガイド溝２２０は等分面２２の両側にそれぞれ対応して設けられ、且つ第１のガイド端２２２の高さは第２のガイド端２２４よりも高いことである。換言すれば、ガイド側面２２６は水平面に対して挟角を有している。説明すべきことは、本実施例において（図１Ａ乃至図２Ｂに示す）、等分面２２の両側にはそれぞれ対応して６つのガイド溝２２０が設けられており、且つ同一側の各ガイド溝２２０は互いに対応して一定距離だけ分離していることである。但し、本考案に係るガイド溝２２０の数はそれに限定されない。
【００２８】
また、図１Ａ乃至図２Ｂに示すように、第１のフック３は、第１の接続ロッド３０、複数の第１の弧状構造３２及び少なくとも１つの第１の挿入部３４を含む。このうち、第１の接続ロッド３０は、ほぼ円柱状体を呈し且つそれぞれ第１の弧状構造３２及び第１の挿入部３４と互いに接続される。第１の弧状構造３２はベース１の両側に向かって延在され、且つ各第１の弧状構造３２は互いに所定距離だけ分離している。第１の挿入部３４は、少なくとも１つの対応するガイド溝２２０と互いに挿接される。説明すべきことは、各第１の弧状構造３２における第１の接続ロッド３０と接続する一端が、ベース側面１０３に設けられた対応する第１の凹形列孔１６内に収容されることによって、第１のフック３が、対応するガイド溝２２０内にしっかりと固定されることである。
【００２９】
更に、図４Ａ乃至図５Ｂに示すように、第２のフック４は、第２の接続ロッド４０、複数の第２の弧状構造４２及び少なくとも１つの第２の挿入部４４を含む。このうち、第２の接続ロッド４０は、ほぼ円柱状体を呈し且つ第２の弧状構造４２及び第２の挿入部４４と互いに接続される。第２の弧状構造４２はベース１の両側に向かって延在され、且つ各第２の弧状構造４２は互いに所定距離だけ分離している。第２の挿入部４４は、少なくとも１つの対応するガイド溝２２０と互いに挿接される。説明すべきことは、各第２の弧状構造４２の一端が、ベース側面１０３に設けられた対応する第１の凹形列孔１６内に収容されることによって、第２のフック４が、対応するガイド溝２２０内にしっかりと固定されることである。本実施例において、等分面２２の両側にはそれぞれ対応して６つのガイド溝２２０が設けられ、且つ第１の挿入部３４及び第２の挿入部４４はそれぞれ対応するガイド溝２２０と互いに挿接される。但し、本考案に係る第１の挿入部３４及び第２の挿入部４４の数はそれに限定されない。
【００３０】
最後に、図４Ａ乃至図５Ｂに示すように、蓋板５は、蓋板頂面５０、一対の蓋板端面５２及び一対の蓋板側面５４を含む。このうち、蓋板端面５２と蓋板側面５４はそれぞれ対向して蓋板頂面５０の周縁を囲繞しており、且つ下に向かって所定距離だけ延在される。更に、蓋板側面５４には、複数の第１の凹形列孔１６に対応する複数の第２の凹形列孔５６がそれぞれ設けられている。その主な目的は、第１のフック３上の複数の第１の弧状構造３２及び第２のフック４上の複数の第２の弧状構造４２を収容することにある。蓋板５は、蓋板５とベース１上にそれぞれ設けられた係止構造を介してベース１と接続される。
【００３１】
このように、ユーザが第１のスライド溝端２０２を固定部１４上に位置させると、第１のフック３及び第２のフック４が互いに対応して分離し、これにより、ユーザは文書資料を重ね合わせて一まとめにすることができる。また、第２のスライド溝端２０４が固定部１４上に位置すると、第１のフック３及び第２のフック４が互いに接合し、且つ引張ロッド２の一部分がベース１のベース端面１０２から突出し、これにより、ユーザは文書資料を交換することができる。
【００３２】
換言すれば、ユーザが第２のガイド端２２４を第１の挿入部３４に接触させると、第１のフック３が第２のフック４と互いに接合する。また、第１のガイド端２２２が第１の挿入部３４に接触すると、第１のフック３及び第２のフック４が互いに対応して分離する。これにより、ファイル固定構造Ｍの第１のフック３及び第２のフック４が互いに接合又は分離する動作を行うようにすることができる。
【００３３】
本考案に係るファイル固定構造の効果は、「引張ロッドの両側にそれぞれ対応して設けられた少なくとも２つのガイド溝」と「各ガイド溝の第１のガイド端の高さを第２のガイド端よりも高くする」という設計によって、第１のフックと第２のフックとが互いに対応して分離するようにしており、これにより、操作の利便性を向上し騒音を低減する目的を達成することができることにある。
【００３４】
上記は本考案の好ましい実施例に過ぎず、本考案の範囲を限定するものではない。従って、本考案の明細書及び図面の内容を運用した等価の技術的変化はすべて本考案の範囲に含まれる。
【符号の説明】
【００３５】
Ｍ  ファイル固定構造
１  ベース
１０１  ベース底面
１０２  ベース端面
１０３  ベース側面
１２  収容空間
１４  固定部
１６  第１の凹形列孔
２  引張ロッド
２０  引張ロッド底面
２００  スライド溝
２０２  第１のスライド溝端
２０４  第２のスライド溝端
２０６  スライド溝側面
２０８  位置決め部
２２  等分面
２２０  ガイド溝
２２２  第１のガイド端
２２４  第２のガイド端
２２６  ガイド側面
２４  力受け部
３  第１のフック
３０  第１の接続ロッド
３２  第１の弧状構造
３４  第１の挿入部
４  第２のフック
４０  第２の接続ロッド
４２  第２の弧状構造
４４  第２の挿入部
５  蓋板
５０  蓋板頂面
５２  蓋板端面
５４  蓋板側面
５６  第２の凹形列孔
【図１Ａ】
0003185795.tif 000003
【図１Ｂ】
0003185795.tif 000004
【図２Ａ】
0003185795.tif 000005
【図２Ｂ】
0003185795.tif 000006
【図３】
0003185795.tif 000007
【図４Ａ】
0003185795.tif 000008
【図４Ｂ】
0003185795.tif 000009
【図５Ａ】
0003185795.tif 000010
【図５Ｂ】
0003185795.tif 000011